(57)【要約】【課題】印刷された人物年表において、一目で全体の生没状況が把握でき、更に個人が必要とする人物の生没年を追加して書き込むことが容易な人物年表を提供する。【解決手段】時間軸２をもって人物年表１を二分し、生誕欄３と死亡欄４とを別に設けることにより、生没の記入場所が重ならないために多くの人物を書き込むことができるようになる。その上、１００年単位の時間軸下に、１０年区切に五十音のあ行の見出しを設けることにより、索引とすることができ、検索に便利である。【選択図】図１
2019137029.tif 000002
【特許請求の範囲】
【請求項１】
印刷してなる人物年表（１）に、時間軸（２）を基準として設け、一方を生誕欄（３）とし、他方を死亡欄（４）と定めてなる人物年表の表記方法。
【請求項２】
当該人物年表（１）の時間軸（２）を１００年区切（５・５’）とした場合、１０年区切（６）を設け、その端部（７）に五十音のあ行の見出し、あ（８ａ）、か（８ｂ）、さ（８ｃ）、た（８ｄ）、な（８ｅ）、は（８ｆ）、ま（８ｇ）、や（８ｈ）、ら（８ｉ）、わ（８ｊ）を人物の索引見出しとして記載してなる第１項記載の人物年表の表記方法。
【発明の詳細な説明】
【技術分野】
【０００１】  本発明は、歴史上の人物の生誕と死亡の欄を二分して表記する人物年表の印刷物に関する。
【背景技術】
【０００２】  従来の人物年表の表示は、例えば横軸に西暦の年を区切って記載し、左端に人名を書く。その人物の誕生年を始まりとする横棒を死亡年のところまで延長して表示する。【０００３】  生没年の表示は、例えば１６０９―１６７８というようにハイフンで年数を繋ぎ、死亡時の年齢をかっことじの（６９）のように数字のみ表示して、人名の後か年数の後に続けて記載する場合がある。【０００４】  複数の人物名を表示する場合には、次段から人数分の段数を設けて表示する。【０００５】  従来の人物年表は、文章の説明を補足するために添付する場合が一般的である。
【発明の概要】
【発明が解決しようとする課題】
【０００６】  従来の人物年表は、文章の補足説明のために頁の一部又は全部に文章内の人物名を列挙して横棒を各行に記載しているために、その人物年表には追加の人物を記載することは難しい。【０００７】  更に、横棒タイプの人物年表では、人数が多くなると下方に段数を増やさなければならないために紙面に限界が生じる。そのために表示する人数がすぐに制限される。【０００８】  従来、自由記載の人物年表は無い。【０００９】  自作の人物年表を作るとすれば、方眼紙の目盛を年の区切りとして用い、従来のように横棒を書いて段々と各行に同じように書くが、基準とした年の始まり以前に生まれた人物など枠外になった場合には不便である。【００１０】  横棒タイプの人物年表は、歴史的事件が起きた年代に合わせて説明用として作成されているため、別の事件になるとまた新たに作成する必要があった。【００１１】  方眼紙を用いた手作り年表を作成使用する者は少なく、個人の研究に登場する人物に関しては、名前と生没年及び死亡時の年齢をメモしておく程度が一般的である。そのために人物の関連に関して理解するのに大変な労力を必要とした。
【課題を解決するための手段】
【００１２】  本発明は、印刷してなる人物年表１の中程に横長の時間軸２を記載して、１年ごとに年の線９を設け、西暦の年数を１０年区切６と１００年区切５・５’を色別又は線の太さの違いで差別表示する。【００１３】  １００年区切５から１０年区切６の端部７付近に五十音のあ行を十年ごとに表記する。あ８ａ、か８ｂ、さ８ｃ、た８ｄ、な８ｅ、は８ｆ、ま８ｇ、や８ｈ、ら８ｉ、わ８ｊと定めるとちょうど１００年になる。【００１４】  人物名を記載する場合には、生誕欄３に鈎形１０の縦棒を時間軸の年の線９に重ねて、曲がった横棒に続けて人物Ａの名前を記載する。【００１５】  次に、死亡欄４に人物Ａ’の死亡年に鈎形１０’の縦棒を重ね、横棒に続けて人物Ａ’の名前を記載する。【００１６】  死亡欄４の人物Ａ’の名前の後に死亡時の年齢をかっことじで記載する。【００１７】  人物Ａの名前を索引見出しのところに区分け記入する。例えば、伊達政宗であれば、た８ｄのところに書く。豊臣秀吉も、た８ｄになる。【００１８】  人物名の下部に生没年をハイフンで繋ぎ表示し、続いてかっことじで死亡時の年齢を西暦計算で表示する。
【発明の効果】
【００１９】  本発明の人物年表であれば、生死の欄を区別しているために、横棒がないために、人物を横並び又は一段ずらせば書き込むことができる。【００２０】  人物の位置を確認する場合には、索引から人名を探し、下部に附した生没年を見ると直ぐ時間軸で探すことが出来る。【００２１】  一時的に鉛筆で生死を斜め直線で結べば一目で場所が特定できる。他の関係を調べる場合には前の斜め線を消して新たに書き込めば良い。【００２２】  事件など起きた年を中心に生存者を斜め線で結ぶと、その時点での年齢が分かるとともに、関連など推察するのに有効である。【００２３】  １００年区切を繋げて数１００年とした場合でも、五十音表記で１００年間ごとに誕生した人物が表記できるので探しやすく大変便利である。【００２４】  発明の最も新規なところは、従来自分で書き込めて、一目で全体の人間関係が理解できる人物年表はなかったことである。【００２５】  人物は、ジャンル別に自由に書き込めるので、本発明の人物年表であれば、特殊な研究をしている人たちにも活用することができる。【００２６】  デジタル化社会になって、紙面への印刷が減少する昨今、本発明は、印刷による製品が特に使いやすいために、学校教育や研究者そして一般においても必要とされるものであるため、印刷業界に貢献するものである。【００２７】  尚、説明の都合上、時間軸を横にとったが、その限りではなく印刷面に準じ、縦でも同一効果が得られる。
【図面の簡単な説明】
【００２８】
【図１】本発明の人物年表の正面図である。
【発明を実施するための形態】
【００２９】  図１に示すように、人物年表１に基準となす時間軸２を設け、上方を生誕欄３と定め、下方を死亡欄４とする。
【００３０】  時間軸２には、１年を一目盛として年の線９を記入し、１０年区切６及び、１００年区切５・５’を線の太さの違いをもって識別しやすいようにする。
【００３１】  １０年区切６の下部の端部７に、索引用見出しの五十音のあ行の、あ８ａ、か８ｂ、さ８ｃ、た８ｄ、な８ｅ、は８ｆ、ま８ｇ、や８ｈ、ら８ｉ、わ８ｊ、を設ける。
【００３２】  戦国武将や音楽家や作家などのジャンル別の人物年表において、有名な人物をあらかじめ印刷しておく場合には、例えば、人物Ａの生誕年にあわせて、生誕欄３に鈎形１０の一方を年の線９に重ね、他方の端に続けて人物Ａの名前を記入する。
【００３３】  人物Ａが死亡すると、死亡欄４の年の線９に重ねて鈎形１０’の一方を記入し、他方の端に続けて人物Ａ’の名前を再度記入する。この場合名前の後に、かっこでくくった死亡年齢の数字を記入すると更に使いやすくなる。
【００３４】  死亡欄４の端部７に設けた索引見出しに、人物Ａの頭文字が該当するところに名前を書き、その名前の下に生没年と死亡時の歳を記入する。
【符号の説明】
【００３５】１    人物年表
２    時間軸
３    生誕欄
４    死亡欄
５・５’    １００年区切
６    １０年区切
７    端部
８ａ〜８ｊ    五十音のあ行
９    年の線
１０・１０’    鈎形
Ａ・Ａ’    人物
【図１】
2019137029.tif 000003